(57)【要約】  【課題】    低周波応答を向上し、全体の周波数応答曲線を平坦にして周波数の低い音声の良好な音声再生効果を得る、平面圧電スピーカアクチュエータの初期周波数を下げる方法の提供。  【解決手段】    中央部とウイング部を含み、金属薄膜上下に圧電薄膜をそれぞれ設け、中央部上の一面にフレームを設置し、金属導線で接続した導線を固定して構成され、そのうち、該圧電薄膜は、金属電極（正）と金属電極（負）を圧電薄膜上下にそれぞれ設置して成り、中央部の側辺部を左右に延伸して対称のウイング部が設けられ、全長÷全体幅＝R1であるとき、R１＞１であり；全体幅÷ウイング長＝R２であるとき、R２＞１であり；ウイング長÷中央幅＝R３で、R３＞１であり；R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達する。  【選択図】    図２
2006165717.tif 000002
【特許請求の範囲】
【請求項１】
中央部とウイング部を含み、金属薄膜上下に圧電薄膜をそれぞれ設け、中央部上の一面にフレームを設置し、金属導線で接続した導線を固定して構成され、そのうち、該圧電薄膜は、金属電極（正）と金属電極（負）を圧電薄膜上下にそれぞれ設置して成り、中央部の側辺部を左右に延伸して対称のウイング部が設けられ、全長はウイング部と中央部を足した長さであり、全体幅はウイング部の幅であり、ウイング長さはウイング部の長さとし、中央幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達することを特徴とした、平面圧電スピーカアクチュエータ。      
【請求項２】
前記のうち、該ウイング部の割合が中央部の割合より大きく、且つ、梯子形や長方形、円形、三角形の複数且つ中央部に対して対称な多辺形状とし、低周波応答を向上した、請求項１に記載の平面圧電スピーカアクチュエータ。
【請求項３】
前記のうち、該圧電薄膜を片面１層、片面３層、片面５層、両面３層、両面５層、片面多層、両面多層の圧電薄膜とした、請求項１または２に記載の平面圧電スピーカアクチュエータ。
【請求項４】
前記のうち、該フレームに接続する平板を木板、金属板、アクリル版、ゴム板、紙板等の平面板とした、請求項１乃至３に記載の平面圧電スピーカアクチュエータ。
【発明の詳細な説明】
【技術分野】
【０００１】
本発明は、平面圧電スピーカアクチュエータに関し、特に、平面圧電スピーカアクチュエータの初期周波数を低くする方法に関し、中央部の側辺部を左右に延伸して設けた対称のウイング部を備え、全長が左右のウイング部に中央部を加えた長さとし、全体の幅がウイング部の幅とし、ウイング長さはウイング部の長さとし、中央の幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、全長＝４．２３６中央幅であるとき、初期周波数の低下の程度及び周波数応答曲線の平坦度が最も理想的な状態に達することを特徴とした、平面圧電スピーカアクチュエータの初期周波数を下げる方法に関する。
【背景技術】
【０００２】
図９に示すように、一般的な平面圧電スピーカアクチュエータは、その使用時の初期周波数が約４００Hz以上であり、且つ、その全体の周波数応答曲線の起伏は落差が大きく、音を発するとき、例えば男性の話し声など低周波数の音源については、音声周波数が低い音を発することができなかったり、発せられた音声の品質が悪かったりすることがあり、且つ、周波数の変動範囲が大きいときにも良くない周波数特性を発生しやすい。
【０００３】
また、従来の技術に置いては、その初期周波数と全体の長さが反比例しており、全体の長さを変えない場合、携帯電話等小型の音声再生装置を備えたものに組み合わせるとき、効果的に初期周波数を抑えることができず、且つ、周波数応答曲線が非常に起伏が大きいため、音声の再生効果が悪くなってしまう。
【０００４】
このため、低周波の周波数特性をいかに効果的に向上するかが、本発明が解決する技術的問題点である。
【発明の開示】
【発明が解決しようとする課題】
【０００５】
本発明の目的は、低周波応答を向上し、全体の周波数応答曲線を平坦にして、周波数の低い音声の良好な音声再生効果を得ることができる、平面圧電スピーカアクチュエータの初期周波数を下げる方法を提供することにある。
【課題を解決するための手段】
【０００６】
本発明の平面圧電スピーカアクチュエータは、中央部とウイング部を含み、金属薄膜上下に圧電薄膜をそれぞれ設け、中央部上の一面にフレームを設置し、金属導線で接続した導線を固定して構成され、そのうち、該圧電薄膜は、金属電極（正）と金属電極（負）を圧電薄膜上下にそれぞれ設置して成り、中央部の側辺部を左右に延伸して対称のウイング部が設けられ、全長は左右のウイング部と中央部を足した長さであり、全体幅はウイング部の幅であり、ウイング長さはウイング部の長さとし、中央幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達することを特徴とする。
【発明の効果】
【０００７】
本発明の進歩性と実用性をより明確にするため、本発明の実用的効果を以下に示す。
１、低周波応答を向上することができる。
２、周波数の低い音声も良好な音声再生効果が得られる。
３、全体の周波数応答曲線を平坦にし、音声再生時のリアリティのロスを抑えることができる。
４、音声周波角許容範囲をより高くできる。
５、進歩性と実用性が高い。
６、産業的競争力を向上できる。
【実施例１】
【０００８】
本発明の平面圧電スピーカアクチュエータAは、図１、図２、図３に示すように、中央部A6とウイング部A７を含み、金属薄膜A２上下に圧電薄膜A１をそれぞれ貼り付け、中央部A６上の一面にフレームA３を設け、金属導線A５で接続した導線A４を固定して構成される。さらに、該圧電薄膜A1は、金属電極（正）A１１と金属電極（負）A１２を圧電薄膜A１３上下にそれぞれ設置して成る。
【０００９】
中央部A６の側辺部を左右に延伸して対称のウイング部A７を設ける。図４に示すように、全長B１は左右のウイング部A７の端から端までの幅とし、ウイング長さB３はウイング部A７の長さとし、中央幅B４は中央部A６の幅とする。下記の公式から分かるように、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度は最良の状態に達し、また、全長＝４．２３６中央幅B４であるとき、初期周波数の低下の程度及び周波数応答曲線の平坦度が最も理想的な状態に達することを特徴とする。
【００１０】
平面圧電スピーカアクチュエータAの全長と厚さを変えずに、ウイング部A７を増加させると、初期周波数の開始点が低下し、同時に周波数応答曲線が平坦に近づく。
【００１１】
図８に本発明の平面圧電スピーカアクチュエータAの周波数対応ｄB値の波形図を示す。図に示すように、２５０Hzのときすでに共振を発生することができ、低い音声周波数に対し良好な周波数応答を得ることができる。また、図に示す共振時の曲線は平坦であり、共振応答波形図の各高低ピーク間の距離が近く、音声周波数の変動量が大きい場合もその応答変動率は低く、安定した良い周波数特性を保つことができる。
【００１２】
本発明の平面圧電スピーカアクチュエータAは、図５、図５−１に示すように、信号が平面圧電スピーカアクチュエータAに送られた後、圧電薄膜A１と金属薄膜A２が発生する共振の共振波を介して、フレームA３を経てコーン紙Cまたは平板Dに伝わり、音声を発する。そのうち、該平板Dはさらに木板、金属板、アクリル板、ゴム板、紙板等の平面板とする。
【実施例２】
【００１３】
図６、図６−１に示すように、平面圧電スピーカアクチュエータEは、その金属薄膜E１上の圧電薄膜E２をさらに３層、５層、またはそれ以上の層の圧電薄膜E２とすることができ、且つ、上述と同じ機能を持つものとする。また、金属薄膜E1上の圧電薄膜E２は片面のみに設けることもでき、且つ、上述と同じ機能を持つものとする。
【実施例３】
【００１４】
図７に示すように、本発明の平面圧電スピーカアクチュエータF、Gは、ウイング部F２、G２の割合が中央部F１、G１の割合より大きく、且つ、梯子形、長方形、円形、三角形などの複数且つ中央部F１、G１に対し対称なウイング部F２、G２を設けることができ、同様に初期周波数を低くし、周波数応答曲線を平坦にすることができる。
【００１５】
上述のように、本発明は特許出願の要件を満たしているため、特許法に基づきここに特許出願をするものである。
【図面の簡単な説明】
【００１６】
【図１】本発明の立体斜視図である。
【図２】本発明の立体分解図である。
【図３】本発明の断面図である。
【図４】本発明の平面図である。
【図５】本発明の実施例１を示す立体斜視図である。
【図５−１】本発明の実施例１を示す立体斜視図及び部分拡大図である。
【図６】本発明の実施例２を示す側面図及び部分拡大図である。
【図６−１】本発明の実施例２において、圧電薄膜を金属薄膜の片面のみに設置した状態を示す側面図及び部分拡大図である。
【図７】本発明の実施例３を示す平面図である。
【図８】本発明のテスト波形図である。
【図９】従来技術のテスト波形図である。
【符号の説明】
【００１７】
A          平面圧電スピーカアクチュエータ
A１        圧電薄膜
A１１      金属電極（正）
A１２      金属電極（負）
A２        金属薄膜
A３        フレーム
A４        導線
A５        金属導線
A６        中央部
A７        ウイング部
B１        全長
B２        全体幅
B３        ウイング長さ
B４        中央幅
C          コーン紙
D          平板
E、F、G  平面圧電スピーカアクチュエータ
E１        金属薄膜
E２、E３  圧電薄膜
F１、G１  中央部
F２、G２  ウイング部
【図１】
2006165717.tif 000003
【図２】
2006165717.tif 000004
【図３】
2006165717.tif 000005
【図４】
2006165717.tif 000006
【図５】
2006165717.tif 000007
【図５−１】
2006165717.tif 000008
【図６】
2006165717.tif 000009
【図６−１】
2006165717.tif 000010
【図７】
2006165717.tif 000011
【図８】
2006165717.tif 000012
【図９】
2006165717.tif 000013